(57)【要約】【課題】文書処理システムを用いて複数の個別の出力プロパティを一組の文書内のそれぞれの文書に適用するシステム、方法およびプログラムを提供する。【解決手段】文書について、個別の出力プロパティを有する複数枚のコピーを作成する要求があると、利用可能な出力プロパティが表示される。次に、それぞれのコピー出力に関連付ける個別の出力プロパティが選択され、選択された出力プロパティに関するデータが付加された文書データが文書処理装置に送られ、処理が実行される。【選択図】図２
2006294030.tif 000002
【特許請求の範囲】
【請求項１】
複数の個別の出力プロパティを有する出力が要求されている文書を表す文書データを受け取る入力手段と、
前記複数の個別の出力プロパティを表すインストラクションデータを受け取る手段と、
前記文書データと、それぞれの個別の出力プロパティとを関連付けする関連付け手段と、
この関連付け手段によって関連付けられた前記個別の出力プロパティと前記文書データとを文書処理装置に伝達する出力手段と
を有することを特徴とする文書処理システム。
【請求項２】
前記文書データは、文書処理要求に関連付けされたディジタル文書データとして受け取られることを特徴とする請求項１に記載の文書処理システム。
【請求項３】
前記文書処理要求は、プリント要求またはコピー要求を含むことを特徴とする請求項２に記載の文書処理システム。
【請求項４】
前記文書処理装置は、プリント装置または複写機または多機能周辺装置を含むことを特徴とする請求項１に記載の文書処理システム。
【請求項５】
前記インストラクションデータは、複数の個別のウォーターマークを表すウォーターマークデータを含み、それぞれの個別のウォーターマークは、前記文書データに関連付けされることを特徴とする請求項１に記載の文書処理システム。
【請求項６】
前記インストラクションデータは、複数の個別の印刷出力媒体プロパティを表すデータを含み、それぞれの個別の印刷出力媒体プロパティは、前記文書データに関連付けされることを特徴とする請求項１に記載の文書処理システム。
【請求項７】
前記それぞれの個別の印刷出力媒体特性は、用紙ストックに関連付けされていることを特徴とする請求項６に記載の文書処理システム。
【請求項８】
複数の個別の出力プロパティを有する出力が要求されている文書を表す文書データを受け取るステップと、
前記複数の個別の出力プロパティを表すインストラクションデータを受け取るステップと、
前記文書データと、それぞれの個別の出力プロパティとを関連付けするステップと、
この関連付けステップによって関連付けられた前記個別の出力プロパティと前記文書データとを文書処理装置に伝達するステップと
を有することを特徴とする文書処理方法。
【請求項９】
前記文書データは、文書処理要求に関連付けされたディジタル文書データとして受け取られることを特徴とする請求項８に記載の文書処理方法。
【請求項１０】
前記文書処理要求は、プリント要求またはコピー要求を含むことを特徴とする請求項９に記載の文書処理方法。
【請求項１１】
前記文書処理装置は、プリント装置または複写機または多機能周辺装置を含むことを特徴とする請求項８に記載の文書処理方法。
【請求項１２】
前記インストラクションデータは、複数の個別のウォーターマークを表すウォーターマークデータを含み、それぞれの個別のウォーターマークは、前記文書データに関連付けされることを特徴とする請求項８に記載の文書処理方法。
【請求項１３】
前記インストラクションデータは、複数の個別の印刷出力媒体プロパティを表すデータを含み、それぞれの個別の印刷出力媒体プロパティは、前記文書データに関連付けされることを特徴とする請求項８に記載の文書処理方法。
【請求項１４】
前記それぞれの個別の印刷出力媒体特性は、用紙ストックに関連付けされていることを特徴とする請求項１３に記載の文書処理方法。
【請求項１５】
文書処理システムのコントローラに、
複数の個別の出力プロパティを有する出力が要求されている文書を表す文書データを受け取る手順と、
前記複数の個別の出力プロパティを表すインストラクションデータを受け取る手順と、
前記文書データと、それぞれの個別の出力プロパティとを関連付けする手順と、
この関連付け手順によって関連付けられた前記個別の出力プロパティと前記文書データとを文書処理装置に伝達する手順と
を実行させることを特徴とする文書処理プログラム。
【請求項１６】
前記文書データは、文書処理要求に関連付けされたディジタル文書データとして受け取られることを特徴とする請求項１５に記載の文書処理プログラム。
【請求項１７】
前記インストラクションデータは、複数の個別のウォーターマークを表すウォーターマークデータを含み、それぞれの個別のウォーターマークは、前記文書データに関連付けされることを特徴とする請求項１５に記載の文書処理プログラム。
【請求項１８】
前記インストラクションデータは、複数の個別の印刷出力媒体プロパティを表すデータを含み、それぞれの個別の印刷出力媒体プロパティは、前記文書データに関連付けされることを特徴とする請求項１５に記載の文書処理プログラム。
【請求項１９】
前記それぞれの個別の印刷出力媒体プロパティは、用紙ストックに関連付けされていることを特徴とする請求項１８に記載の文書処理プログラム。
【発明の詳細な説明】
【技術分野】
【０００１】
本発明は、個別の出力プロパティを一組の文書内のそれぞれの文書に適用するシステム、方法およびプログラムに関し、特に、文書処理システムを用いて複数の個別の出力プロパティを一組の文書内のそれぞれの文書に適用する文書処理システム、方法およびプログラムに関する。
【背景技術】
【０００２】
文書処理システムのユーザは一枚の文書を複数枚コピーすることが、しばしばある。一つ文書のそれぞれのコピーは、綴じ込み用複本、顧客用控え、インボイス、作業指令書等といった異なる目的のために使用されることがある。それぞれのコピーを区別するために、異なるウォーターマークをそれぞれのコピーに適用するとか、異なる種別の記録用紙をそれぞれのコピーに用いるなど、異なる出力プロパティをそれぞれのコピーに適用する。
【０００３】
しかし、従来の文書処理装置は、一回の文書生成操作によって複数のコピーを生成する能力を有しているが、個別の属性をそれぞれのコピーに適用する能力は備えていない。それに加えて、従来の文書処理装置は、一つの文書の異なるページに対しては異なる記録用紙の種別を選択することができるが、それぞれの文書が異なる用紙の種別を有する文書を複数枚数コピーすることは簡単にはできない。
【０００４】
従来の文書処理システムを使用するユーザが、一つの文書の複数枚コピーを作成するときにそれぞれのコピーが異なる出力プロパティを有することを希望した場合には、ユーザは、いくつかの面倒な処理の中の一つを実行する必要がある。その種の一つの方法は、それぞれのコピー操作ごとに記録用紙の種別を変更する操作を行う方法である。他の方法は、手差し給紙機能を用いて、ユーザが所望する種別の記録用紙のセットを用意し、その用紙セットを手差し給紙トレイに置く方法である。さらに別の方法は、「カーボン紙による写し」形式等の複数重ね形式の使用である。この方法は、ドットマトリクスプリンタ等のインパクトプリンタの使用を必要とする。インパクトプリンタは、比較的希少であり、一般にレーザ、インクジェット、感熱プリンタ等より騒音が大きく、運用経費が高く、低品質である。
【０００５】
ユーザが、それぞれのコピーを他のコピーと区別できる文書を生成する必要がある場合には、上記の方法は時間を要し、低品質であり、費用が掛かり、かつ誤りを生じやすいという問題がある。
【０００６】
したがって、ユーザが、簡便に、時間と費用をかけることなく、それぞれのコピーを他のコピーと区別できる文書の生成を可能とするシステムおよび方法が望まれる。
【発明の開示】
【発明が解決しようとする課題】
【０００７】
本発明は、上記の従来の問題点に鑑みてなされたもので、文書処理システムを用いて複数の個別の出力プロパティを一組の文書内のそれぞれの文書に適用するシステム、方法およびプログラムを提供することを目的とする。
【課題を解決するための手段】
【０００８】
本発明による文書処理システムは、複数の個別の出力プロパティを有する出力が要求されている文書を表す文書データを受け取る入力手段と、前記複数の個別の出力プロパティを表すインストラクションデータを受け取る手段と、前記文書データと、それぞれの個別の出力プロパティとを関連付けする関連付け手段と、この関連付け手段によって関連付けられた前記個別の出力プロパティと前記文書データとを文書処理装置に伝達する出力手段とを有する。
【０００９】
ここで、文書処理装置には、プリント装置または複写機またスキャナ装置または多機能周辺装置が含まれる。
【００１０】
また、本発明による文書処理システムにおけるインストラクションデータには、複数の個別のウォーターマークを表すウォーターマークデータを含ませることが可能であり、それぞれの個別のウォーターマークは、文書データに関連付けされる。
【００１１】
さらに、本発明による文書処理システムにおけるインストラクションデータには、複数の個別の印刷出力媒体プロパティを表すデータを含ませることも可能であり、この場合、それぞれの個別の印刷出力媒体プロパティは、前記文書データに関連付けされる。
【発明の効果】
【００１２】
本発明は、上記の問題点を克服し、文書処理システムを用いて複数の個別の出力プロパティを一組の文書内のそれぞれの文書に適用するシステム、方法およびプログラムを提供する。また本発明によれば、それぞれの印刷出力が、その印刷出力に挿入または適用される個別のウォーターマークを有するか、あるいは個別の印刷出力媒体に生成される。このことによって、それぞれの印刷出力が他の印刷出力と区別することが可能となる。
【発明を実施するための最良の形態】
【００１３】
以下、適宜、図面を参照しながら本発明による実施形態の説明を行うが、説明は主にコピーの場合について行う。図１は本発明による実施形態であるシステムの構成例を示すブロック図である。システム１００は、画像データの生成または処理を行う、少なくとも一つの文書処理装置１０２を含む。ここで、文書処理装置１０２は、プリンタ、複写機、スキャナ装置、ファクシミリ、あるいはこれらの装置の機能を２つ以上併せ持つ多機能周辺装置（Multi-Function Peripheral；以下、ＭＦＰということがある。）等の、任意の適切な文書処理装置である。
【００１４】
システム１００の文書処理装置１０２はコントローラ１０４を含み、コントローラ１０４は文書処理装置１０２の機能を制御する。ここで、コントローラ１０４は、文書処理装置１０２の外部、または文書処理装置１０２の内部に結合することができる。また、コントローラ１０４は、文書処理装置１０２の機能を適切に制御することができる任意のハードウェア、ソフトウェア、またはそれらの組み合わせにより実現することができる。
【００１５】
文書処理装置１０２は、これと機能的に接続されているユーザインタフェース１０６を含む。ユーザインタフェース１０６は、例えば、ユーザに対するデータの表示、およびユーザによる操作入力の受け取りの両方が可能なタッチスクリーンディスプレイにより実現することができる。また、英数字のキーパッド、ＬＣＤ等といった周知の適切なユーザインタフェースについても同様に本発明に採用することができる。
【００１６】
文書処理装置１０２は、電子文書、画像等が含まれる電子ファイルを保存することができるメモリを含む。図１では、このメモリをデータ記憶装置１０８として示している。このデータ記憶装置１０８は任意の大容量記憶装置であり、それにはフラッシュメモリ、磁気データ記憶装置、光学データ記憶装置が含まれる。データ記憶装置１０８は、詳細については後述するように、文書処理操作の際に組み込むための種々の画像ならびにその画像に関連する識別子を保存するウォーターマークレポジトリとして機能する。またこのシステムは、レーザプリンタ、インクジェットプリンタ、感熱プリンタ等のような非インパクトプリンタを使用する際に有効である。このシステムは、特殊な用紙の挿入を必要とすることなく、個別的にマークを付けるコピー、またはその種の複数枚のコピーの作成を考慮している。この種の文書の生成は、文書処理アプリケーションのプリンタドライバ等の画像生成装置ドライバに関連付けされたユーザインタフェースを介して行うことができる。
【００１７】
ユーザは、ユーザインタフェース１０６を介して文書処理装置１０２にアクセスし、文書の所望のコピー出力を得るためのインストラクションならびに必要な情報を入力する。さらに、ユーザは、コンピュータネットワーク１１２を経由して文書処理装置１０２にアクセスするユーザ装置１１０等のリモートユーザインタフェースを介して文書処理装置１０２にアクセスすることもできる。
【００１８】
ユーザ装置１１０は、例えば、ＬＡＮ、インターネット、IEEE 802.11g（Wi-Fi）、ブルートゥース（登録商標）（Bluetooth（登録商標））、またはその他のIEEE 802.11(x) ワイヤレス通信チャンネル経由の通信を含む任意のデータ通信チャンネル（図示せず）を介して文書処理装置１０２と通信する。ユーザ装置１１０は、電子ファイルを保存するために、ハードディスクドライブ等の記憶装置（図示せず）を含む。図１においてはユーザ装置１１０の例としてデスクトップコンピュータをして示している。しかし、後述するように、これは例示だけを目的としており、本発明においては、電子文書ファイルの保存と、文書処理装置１０２への電子ファイその伝達のために、デスクトップコンピュータの代わりに文書サーバ、ノート型コンピュータ、タブレットコンピュータ等を使用できることは明らかである。
【００１９】
ユーザは、一つの文書のそれぞれのコピーに対する個別の出力プロパティの適用を、文書出力操作が実行される画像生成装置のドライバに関連付けされているユーザインタフェース１０６を介して要求することもできる。ユーザがそれぞれのコピーに個別のウォーターマークを適用することを選択した場合には、ユーザインタフェース１０６は、文書処理装置１０２に接続されたレポジトリ１０８からウォーターマークの画像を検索し、その画像をユーザに表示することができる。
【００２０】
ここで、ウォーターマークは、グリフ、アイコン、図案、テキスト、あるいはその他のグラフィック画像であり、文書の出力のときにページの背景に挿入される。ウォーターマークの使用はこの技術分野で周知であり、種々の形式のウォーターマークが出力に挿入される。例えば、ウォーターマークは、画像ベースまたはテキストベースである。テキストベースのウォーターマークの例としては、「お客様用控え」、「店舗用複本」、「綴じ込み用複本」等の表示がある。また、後述するように、ユーザはユーザインタフェース１０６またはユーザ装置１１０を介して、新しいウォーターマークをレポジトリ１０８に追加することができる。ユーザは、例えば、ユーザ装置１１０から文書処理装置１０２に対してウォーターマークとして使用される画像を送信する。続いて、送信されたディジタルフォーマットのウォーターマークは、その後、使用するためにレポジトリ１０８内に保存される。
【００２１】
さらに、ユーザは、例えばハードコピー画像等の可視的な出力（visual rendering）を文書処理装置１０２で画像走査することによって、ユーザインタフェース１０４を介してウォーターマークを追加することができる。文書処理装置１０２で画像走査された画像は、その後、使用するためにレポジトリ１０８内に保存される。
【００２２】
図２は、本発明の実施形態において、一組の文書の内のそれぞれの文書に対して個別の出力プロパティを適用する動作例を説明するためのフローチャートである。Ｓ２０２で、文書について実行する文書処理操作の要求がユーザにより入力され、文書データは処理のために文書処理装置１０２に送信され、文書処理装置１０２は文書データを受け取る。この文書データは、文書処理要求に関連付けされたディジタル文書データとして受け取られる。ここで、前述したように文書処理装置１０２は、プリンタ、複写機、スキャナ装置、ファクシミリ、あるいはこれらの装置の機能を２つ以上併せ持つＭＦＰ等の、任意の適切な文書処理装置であるから、文書処理要求はプリント要求、コピー要求、およびスキャン要求を含む。次に、Ｓ２０４で、文書処理要求が、出力すべきそれぞれの文書が個別の出力プロパティを有する複数枚のコピーの生成を要求しているか否かの判断が行われる。個々に異なる複数枚のコピー、すなわち個別の出力プロパティを有する複数枚のコピーの生成が要求されていない場合には、Ｓ２１６に進み、処理は終了する。
【００２３】
個別の出力プロパティを有する複数枚のコピーの生成が要求されている場合には、Ｓ２０６に進み、利用可能であって、出力されるそれぞれの文書に関連付けられる個別の出力プロパティを表すインストラクションデータが、適切な手段によって受け取られ、ユーザに表示される。利用可能な個別の出力プロパティには、文書のそれぞれの可視的な出力（visual rendering）へ個別のディジタルウォーターマークを挿入すること、および個別の種別の記録用紙にそれぞれの可視的な出力（visual rendering）を生成することを含む。
【００２４】
次に、Ｓ２０８において、ユーザは周知の任意の手段を用いて一組の文書の中のそれぞれの文書に関連付ける少なくとも一つの個別の出力プロパティを選択する。
【００２５】
ユーザが、生成する文書のそれぞれの可視的な出力（visual rendering）に個別のディジタルウォーターマークの挿入を希望する場合の動作については、図３を用いた説明の詳細を後述する。ユーザが、個別の用紙媒体に文書のそれぞれのコピーを生成することを希望する場合の動作については、図５を用いた説明の詳細を後述する。前述したとおり複数の個々に定められる出力の生成形態が、文書処理操作の間にユーザによって選択される。
【００２６】
ユーザがそれぞれのコピーについて少なくとも一つの個別の出力プロパティを選択すると、Ｓ２１０に進み、文書のそれぞれのコピーに関連付けられる個別の属性を示す情報が生成され、その情報が任意の適切な手段を介して文書データに関連付けられて、付け加えられる。次に、Ｓ２１２で、属性情報が付加された文書データが文書処理装置１０２に伝達され、Ｓ２１４で、要求された文書処理操作が文書処理装置１０２において実行される。
【００２７】
ある実施態様においては、ユーザが、文書のそれぞれの可視レンダリングに個別のディジタルウォーターマークを挿入することを選択する。
【００２８】
図３は、本発明の実施形態において、それぞれの可視的な出力（visual rendering）に個別のディジタルウォーターマークを挿入する動作例を説明するためのフローチャートである。Ｓ３０２で、挿入するウォーターマークのセットの選択がユーザに促され、ユーザは所望のウォーターマークを選択する。Ｓ３０４で、選択されたウォーターマークのセットがウォーターマークレポジトリ１０８内に保存されているか否か、あるいはユーザによって指定されているか否かの判断が行われる。ここで、「コピー１／４」等の番号付きコピー、または「２００４年１１月２９日印刷」あるいは「１２：２３：５６ｐｍ印刷」といった時間的なマーク付きコピーを表す表示が出力にマークされる場合のような混成ウォーターマークについても、本発明の適用対象である。選択されたウォーターマークセットがウォーターマークレポジトリ１０８内に保存されている場合には、処理はＳ３０８に進む。
【００２９】
選択されたウォーターマークセットがウォーターマークレポジトリ１０８内に保存されていない場合には、処理はＳ３０６に進み、ウォーターマークセットがウォーターマークレポジトリ１０８に追加される。ウォーターマークレポジトリ１０８への追加については、図４を用いて説明を行う。
【００３０】
図４は、本発明による実施形態において、ウォーターマークセットをウォーターマークレポジトリ１０８に追加する動作例を説明するためのフローチャートである。Ｓ４０２において、ユーザは、新しいウォーターマークセットをウォーターマークレポジトリ１０８に追加することを選択する。この選択は、ユーザインタフェース１０６またはユーザ装置１０８を介して行うことができる。Ｓ４０４においては、ユーザは、新しいウォーターマークセットに関連付ける識別子を選択する。ユーザは、例えば、選択したウォーターマークセット用の名前等の英数字の記号を入力し、続いてその記号、すなわち識別子がレポジトリ１０８内のウォーターマーク画像セットに関連付けされる。次に、Ｓ４０６において、選択された新しいウォーターマークセットが電子ファイルフォーマットで利用可能か否かの判断が行われる。ユーザがウォーターマークセットを含む電子ファイルを有しているときには、ユーザはＳ４１２においてその電子ファイルを文書処理装置１０２に送信する。当業者であれば理解することになろうが、適切な送信手段には、例えば、電子メッセージ送信、リムーバブル記憶媒体からの電子ファイルのリカバリ、ＵＲＬからの検索等が含まれる。
【００３１】
Ｓ４１４において、新しいウォーターマークセットとして使用する画像が電子ファイルから検索される。画像の検索は、プリンタドライバを使用して文書処理装置１０２による文書に挿入することができるフォーマットで、ウォーターマークを生成することを含む。さらに、他の画像データを含む１ないしは複数のページからの特定の画像のリッピングの使用によって、この種の検索が行われることも当業者であれば認識することになろう。許容可能な画像フォーマットは、例えば、JPEG、GIF、TIFFおよびこの分野で周知のその他の画像ファイルフォーマットを含む。リッピングされた画像は、その後、文書処理装置１０２による文書内への挿入のために許容可能なフォーマットに変換される。いずれの場合においても、ウォーターマークセットおよび関連付けされた識別子は、文書処理操作において、その後に使用するために、Ｓ４１６でレポジトリ１０８内に保存される。好ましくは、ウォーターマーク画像は、それぞれのセットの一つのウォーターマーク画像が個別のページ、文書、ファイル等と共に保存され、それぞれの画像は対応するセットに関連付けされる。
【００３２】
Ｓ４０６で、ユーザがウォーターマークセットとして使用するための所望の画像を含む電子ファイルを有していないと判断されると、Ｓ４０８において、ユーザはウォーターマークセットとして使用を希望する画像を含む文書の画像走査を促される。続いてＳ４１０において、所望の画像を含む文書が走査され、Ｓ４１６で新しいウォーターマークセットが、そのウォーターマークセットに関連付けされる識別子とともに適切なフォーマットでレポジトリ１０８に保存される。
【００３３】
Ｓ３０８において、指定のウォーターマークセットの画像データがレポジトリ１１０から検索される。次いでＳ３１０において、文書処理装置１０２は出された文書処理要求、例えば文書処理操作のための文書処理要求内で提出された関連文書について処理を開始する。Ｓ３１２で、検索されたウォーターマークセットの画像データがレポジトリ１１０から文書処理装置１０２に送られる。Ｓ３１４において、１枚目のコピーのためのページ画像データがページメモリに送られる。好ましくは、このページ画像データは、ウォーターマーク画像データとページ画像データとが組み合わされていることを示す”OR”コマンドと共に送られる。
【００３４】
Ｓ３１６では、組み合わされた、１枚目のコピーのためのウォーターマーク画像と１枚目のコピーのためのページ画像データが、文書処理装置１０２の画像プロセッサに送られる。続いてＳ３１８において、併合された画像データが文書処理装置１０２によって可視的に出力（visual rendering）される。
【００３５】
Ｓ３２０において、文書処理要求に関連付けられた文書の複数枚のコピーの生成が要求されているか否かの判断が行われる。複数枚のコピーが生成されることになる場合には、処理はＳ３１４に戻り、可視的に出力（visual rendering）されるべき文書の次のコピーが処理される。ここで、２枚目のコピーについては２番目のウォーターマーク画像が２枚目のコピーのためにページ画像データと組み合わされる。また、３枚目のコピーについては３番目のウォーターマーク画像が３枚目のコピーのためにページ画像データと組み合わされ、４枚目以降のコピーについても同様に処理される。処理が済んでいない追加のコピーがなくなると、文書処理要求が満たされ、文書処理操作は終了する。選択されたウォーターマークセット内のウォーターマーク画像の数より多くの枚数のコピーが生成される場合には、ウォーターマーク画像の数を超える枚数以降の追加のコピーについては、ウォーターマークを伴わずに可視的に出力（visual rendering）される。逆に、選択されたウォーターマークセットに含まれるウォーターマーク画像の数が生成するコピーの枚数より多い場合には、コピー枚数を超える残りのウォーターマークは無視され、文書の可視的な出力（visual rendering）には使用されない。
【００３６】
他の実施態様においては、文書のそれぞれのコピーが異なる印刷出力媒体上に生成されることをユーザが選択する。図５に、本発明による実施形態において、異なる記録用紙媒体にそれぞれのコピーを生成する場合の動作例を説明するためのフローチャートを示す。
【００３７】
Ｓ５０２で、ユーザは任意の適切な手段により、用紙ストックのタイプ等、それぞれのコピーに使用される印刷出力媒体のタイプを選択する。ここで、印刷出力媒体のプロパティは、用紙ストックに関連付けられている。Ｓ５０４において、文書処理要求が文書処理装置に送信される。この文書処理要求は、例えば、文書データに付加されるヘッダの形式で、それぞれのコピーが異なる印刷出力媒体上に出力される旨の情報を含む。Ｓ５０６で、文書処理装置１０２は文書処理要求の処理を開始する。文書処理要求の対象となっている文書はラスタ化され、それぞれのコピーはフェースファイル（face file）として保存される。Ｓ５０８において、順序付けコンポーネントを使用して、それぞれのコピー用のフェースファイルを生成する。ここで、それぞれのコピーの記録用紙の種別は、文書処理要求で指定された記録用紙の種別に対応する。続いてＳ５１０において、順序付けされたフェースファイルが適切な印刷出力媒体に印刷される。
【００３８】
また本発明によれば、一組の文書セット内の文書の出力を区別するさらに他の実施態様も可能である。他の実施態様には多色出力が含まれ、多色出力においては色がカラー画像出力装置によって供給される。この種のカラー出力は、種々の色の出力記録用紙の使用に代わるものとして、文書にカラーの背景を生成することによって達成される。
【００３９】
また、テキストの色等の文字表示色（foreground）がそれぞれのコピー出力ごとに変わる複数出力についても企図されている。この種の実施態様においては、例えば、最初の出力コピーに青のテキストを使用し、２番目に黄色のテキストを、３番目に赤をというような形態になる。
【００４０】
さらに、以上述べた実施態様に代えて、帯状の領域（bar）またはその他のカラー領域を縁またはしるし（indicia）として印刷することによって、複数の種類の出力用紙を必要とすることなく、種々のコピーを区別することができる。
【００４１】
本発明は、ソフトウェアで具体化することも可能であり、また、ハードウェアもしくはソフトウェアとハードウェアの組み合わせによって具体化できることは、当業者であれば容易に理解可能であろう。
【００４２】
以上の、本発明の好ましい実施形態の説明は、例示と説明のために行った。説明は網羅的でもなく本発明を開示した形態に限定しようとするものでもない。自明の修正もしくは変形は、以上の教示に照らせば可能である。例えば、以上の説明は主にコピーの場合の例について行ったが、自明の修正もしくは変形によって、本発明が実施できることは明らかである。実施態様は、本発明の原理およびその実際的応用を良く示し、それによって当業者が種々の実施態様内において、かつ企図された特定の使用に適するときには種々の修正を伴って本発明を使用することを可能にするべく選択し、説明を行った。そのようなすべての修正と変形は、特許請求の範囲の記載に明示されるとおりの本発明の原理および範囲内において、当業者によって行われ得ることは明らかである。
【図面の簡単な説明】
【００４３】
【図１】本発明による実施形態のシステムの構成例を示すブロック図である。
【図２】本発明の実施形態において、それぞれの文書に対して個別の出力プロパティを適用する動作例を説明するためのフローチャートである。
【図３】本発明の実施形態において、個別のディジタルウォーターマークを挿入する動作例を説明するためのフローチャートである。
【図４】本発明による実施形態において、ウォーターマークセットをウォーターマークレポジトリ１０８に追加する動作例を示すフローチャートである。
【図５】本発明による実施形態において、異なる記録用紙媒体にそれぞれのコピーを生成する場合の動作例を説明するためのフローチャートである。
【符号の説明】
【００４４】
１００  システム
１０２  文書処理装置
１０４  コントローラ１０４
１０６  ユーザインタフェース
１０８  データ記憶装置、ウォーターマークレポジトリ
１１０  ユーザ装置
１１２  コンピュータネットワーク
【図２】
2006294030.tif 000003
【図３】
2006294030.tif 000004
【図４】
2006294030.tif 000005
【図５】
2006294030.tif 000006
【図１】
2006294030.tif 000007